(57)【要約】【課題】マスク内部に蒸散している抗炎症剤や清涼剤等の作用を鼻孔からも口部からもマスク着用者に及ぼすことのできるマスクの提供。【解決手段】マスク着用者の鼻孔と口部とを覆うことが可能な被覆部２を有する吸排気可能なマスク１の中央部分７がマスク着用者の顔面から離間して顔面との間に空隙２１が生じるように形成される。その中央部分には、後面２ａの側に蒸散性物質を顔面から離間した状態で収容可能でありかつ空隙に向かって蒸散性物質を蒸散可能である収容部２２が設けられる。【選択図】図３
2011125408.tif 000002
【特許請求の範囲】
【請求項１】
マスク着用者の顔面の少なくとも鼻孔と口部とを覆うことが可能な被覆部を有する吸排気可能なマスクであって、
着用状態にある前記マスクにおける前記被覆部は、その周縁部分が前記顔面に密接する一方、前記周縁部分によって囲まれた中央部分が前記顔面から離間して前記顔面との間に空隙を形成した状態で前記鼻孔と前記口部とを覆うように形成されていて、前記中央部分には前記顔面と向かい合う後面と前記後面の反対面である前面とが含まれ、前記後面の側には蒸散性物質を前記顔面から離間した状態で収容可能でありかつ前記空隙に前記物質を蒸散可能である収容部が設けられていることを特徴とする前記マスク。
【請求項２】
前記被覆部がカップ形状を有していて、前記周縁部分がカップの縁を形成し、前記中央部分がカップの底とカップの周壁とを形成しており、前記カップの底には前記収容部が設けられ、前記中央部分の少なくとも一部分が吸排気可能に形成されかつ前記マスク着用者の吸気と呼気とのうちの少なくとも一方をろ過可能なフィルタとしての機能を有している請求項１記載のマスク。
【請求項３】
前記被覆部における前記中央部分には、吸気弁と前記吸気弁の周縁部分が当接可能な環状の弁座とが設けられ、前記弁座の径方向における内側には、前記収容部が形成され、前記収容部が前記吸気弁と前記顔面との間に位置している請求項１または２記載のマスク。
【請求項４】
前記被覆部における前記カップの周壁は、その全周が前記フィルタとしての機能を有している請求項２または３記載のマスク。
【発明の詳細な説明】
【技術分野】
【０００１】
この発明は、着用したマスクの内側において抗炎症剤や清涼剤、香料、水分等を蒸散させることが可能なマスクに関する。
【背景技術】
【０００２】
従来、着用したマスクの内側において抗炎症剤や清涼剤、香料等を蒸散させることが可能なマスクは公知である。例えば、特開平８−３０８９４７号公報（特許文献１）に開示された鼻孔吸気具を備えたマスクは、ガーゼや不織布で形成されたマスク本体の内側に繊維シートを縫合することによって小袋が形成され、その小袋には鼻孔吸気具が挿入される。鼻孔吸気具は、吸収孔が形成された鼻孔接面体と空気流入口が形成された筒体とを有し、筒体には不織布等に清涼剤や香料を含漬させることによって形成された含漬体が収容されている。マスクを着用したときには、鼻孔接面体を鼻孔に接触させ、マスク本体で浄化された空気を鼻孔吸気具を介して吸入すると、蒸散した清涼剤等がその空気とともに鼻孔に進入する。
【先行技術文献】
【特許文献】
【０００３】
【特許文献１】特開平８−３０８９４７号公報
【発明の概要】
【発明が解決しようとする課題】
【０００４】
特許文献１に開示された鼻孔吸気具を備えたマスクは、鼻孔接面体をマスク着用者の鼻孔に接触させて着用するものであって、含漬体に含漬させた清涼剤等は、もっぱら鼻孔から吸入される。したがって、清涼剤による清涼感を口部を介して咽喉に与えることが難しい。また、マスク着用者の鼻が鼻汁によって詰まっている場合には、清涼剤の作用を活用することが難しい。
【０００５】
そこで、この発明は、マスクの内側に蒸散している抗炎症剤や清涼剤等の作用を鼻孔からも口部からもマスク着用者に及ぼすことができるように、従来のマスクに改良を施すことを課題にしている。
【課題を解決するための手段】
【０００６】
前記課題を解決するためにこの発明が対象とするのは、マスク着用者の顔面の少なくとも鼻孔と口部とを覆うことが可能な被覆部を有する吸排気可能なマスクである。
【０００７】
かかるマスクにおいて、この発明が特徴とするところは、以下のとおりである。すなわち、着用状態にある前記マスクにおける前記被覆部は、その周縁部分が前記顔面に密接する一方、前記周縁部分によって囲まれた中央部分が前記顔面から離間して前記顔面との間に空隙を形成した状態で前記鼻孔と前記口部とを覆うように形成されている。前記中央部分には、前記顔面と向かい合う後面と前記後面の反対面である前面とが含まれ、前記後面の側には、蒸散性物質を前記顔面から離間した状態で収容可能でありかつ前記空隙に前記物質を蒸散可能である収容部が設けられている。
【０００８】
この発明の実施形態の一つにおいて、前記被覆部がカップ形状を有していて、前記周縁部分がカップの縁を形成し、前記中央部分がカップの底とカップの周壁とを形成しており、前記カップの底には前記収容部が設けられ、前記中央部分の少なくとも一部分が吸排気可能に形成されかつ前記マスク着用者の吸気と呼気とのうちの少なくとも一方をろ過可能なフィルタとしての機能を有している。
【０００９】
この発明の実施形態の他の一つにおいて、前記被覆部における前記中央部分には、吸気弁と前記吸気弁の周縁部分が当接可能な環状の弁座とが設けられ、前記弁座の径方向における内側には、前記収容部が形成され、前記収容部が前記吸気弁と前記顔面との間に位置している。
【００１０】
この発明の実施形態の他の一つにおいて、前記被覆部における前記カップの周壁は、その全周が前記フィルタとしての機能を有している。
【発明の効果】
【００１１】
この発明に係る吸排気可能なマスクは、それを着用すると、周縁部分が顔面に密接して、被覆部と顔面との間に空隙が形成される。被覆部の後面の側には、蒸散性物質の蒸散を可能にする収容部が形成されているから、その収容部に例えば蒸散性の抗炎症剤を含むジェルを入れておくと、空隙の内側に蒸散した抗炎症剤がマスク着用者の吸気の一部となって鼻孔と口部とに進入して咽喉に達することができる。
【図面の簡単な説明】
【００１２】
【図１】マスクの前面側を示す斜視図。
【図２】マスクの後面側を示す図。
【図３】図１のＩＩＩ−ＩＩＩ線切断面を示す図。
【図４】実施形態の一例を示す図１と同様な図。
【図５】図４のＶ−Ｖ線切断面を示す図。
【図６】図４のＩＶ−ＩＶ線切断面を示す図。
【図７】容器部材の分解組立図。
【発明を実施するための形態】
【００１３】
添付の図面を参照して、この発明に係るマスクの詳細を説明すると、以下のとおりである。
【００１４】
図１は、マスク１の前面側を示す斜視図であって、マスク１の上下方向と横方向と前後方向とが双頭矢印Ａ，Ｂ，Ｃで示されている。マスク１はカップ状に形成された被覆部２と、被覆部２から後方へ延びる長さ調節可能な弾性ヘッドバンド３とを有する。被覆部２は、カップの縁となる周縁部分６と、周縁部分６によって囲まれていてカップの底７ａとカップの周壁７ｂとを形成している中央部分７とを有し、底７ａには容器部材１０が取り付けられている。中央部分７は、容器部材１０以外の部分またはその部分の少なくとも一部が不織布や織布、これらの積層品等の通気性シート材料によって形成されていて、マスク着用者の吸気の取り入れと呼気の排出とが可能であり、その吸気および／または呼気のろ過を可能にするフィルタとしての機能を有している。好ましい被覆部２は、不織布および／または織布が熱可塑性合成繊維を含むもので、その不織布や織布が加熱・加圧されることによってカップ形状に成形されている。被覆部２の周縁部分６には、被覆部２を一周する環状のシールライン８が形成されている。シールライン８は、被覆部２を局部的に加熱・加圧して、周縁部分６に含まれる熱可塑性合成繊維を溶融固化することにより、好ましくは重なり合う不織布や織布を溶融固化して互いに接合させることにより形成されていて、周縁部分６における不織布や織布の端面からの吸気の流入と呼気の流出とを防いでいる。また、被覆部２は、シールライン８において固化することによって周縁部分６の剛性が高くなり、カップ形状が変形し難いものになっている。周縁部分６には、ヘッドバンド３を長さ調節可能に巻回するためのバックル部材１２が取り付けられている。バックル部材１２は、ポリエチレンやポリプロピレン、ＡＢＳ等の熱可塑性合成樹脂で形成されていて、シールライン８において被覆部２に溶着している。容器部材１０もまた、ポリエチレンやポリプロピレン、ＡＢＳ等の熱可塑性合成樹脂で形成されていて、周縁部分１３と被覆部２とがシールライン１４（図３参照）において溶着している。
【００１５】
図２は、マスク１の後面側を示す図、すなわちマスク１の背面図であるが、ヘッドバンド３の一部分の図示が省略されている。図２において、被覆部２の後面２ａはマスク１の内面とも呼ぶことができる部位であって、その後面２ａの後方には環状の非通気性クッションパッド１６が設けられている。クッションパッド１６は、例えば熱可塑性合成樹脂の発泡シートやスポンジシート、フェルト等のシート材料であって、非通気性またはマスク１としての使用が可能になる程度の実質的な非通気性を有する柔軟なシート材料によって形成されていて、外周縁部１６ａが溶着または接着により、シールライン８またはその近傍において、被覆部２の後面２ａに接合している。クッションパッド１６の中央には通気孔１７が形成され、通気孔１７の内側には被覆部２に取り付けられている容器部材１０の後面１０ａが見えている。通気孔１７は、周縁部１７ａを有し、マスク１を着用したときには、着用者の鼻孔と口許とが通気孔１７の内側におさまり、周縁部１７ａが顔面に密接する。
【００１６】
図３は、図１のＩＩＩ−ＩＩＩ線に沿った断面図であって、ＩＩＩ−ＩＩＩ線は、幅方向Ｂにおけるマスク１の寸法を二等分する中心線ＣＬ（図１，２参照）に重なっている。マスク１は、被覆部２がカップ形状に形成される一方、クッションパッド１６は、被覆部２における周縁部分６の起伏に倣って緩やかに変化する曲面を画いていて、被覆部２とクッションパッド１６との間には空隙２１が形成されている。被覆部２に取り付けられた容器部材１０は、その後面１０ａがマスク１の外側に向かって凸となるように、換言すると着用者の顔面（図示せず）に向かって凹となるように湾曲している収容部２２を有し、その収容部２２には第１収容部２２ａと第２収容部２２ｂとが含まれている。第１収容部２２ａは湾曲している部分だけで形成されており、第２収容部２２ｂは、第１収容部２２ａにつながって下方へ延びている湾曲した部分と、図３において上下方向Ａへ直線的に延びている遮蔽部２３とによって形成されているポケット状の部分である。遮蔽部２３は容器部材１０と一体的に形成されていてもよいものであるが、図３では容器部材１０とは別体に形成された板状の遮蔽部２３が容器部材１０の周縁部分１３に接着剤（図示せず）を介して接合している。かような容器部材１０は、第１収容部２２ａと第２収容部２２ｂとが空隙２１に対して開口した状態にある。
【００１７】
このように形成されているマスク１では、容器部材１０の第１収容部２２ａおよび／または第２収容部２２ｂに、例えばジェル状の抗炎症剤であるヴェポラッブ（登録商標）を適当量入れてから着用すると、マスク１と顔面との間に形成された空隙２１にヴェポラッブに含まれている抗炎症剤成分が蒸散する。着用者が呼吸を繰り返すと、その抗炎症剤は、中央部分７のうちの例えば周壁部７ｂを通過してマスク１の内部へ進入する外気とともに吸気となって、着用者の鼻孔と口部とに進入して咽喉等に達することができる。収容部２２には、このような抗炎症剤の他に、清涼剤や香料、水等の蒸散性物質を含ませたガーゼや不織布、紙等の小片をおさめることによって、鼻孔や口腔、咽喉等にそれら清涼剤等の作用を及ぼすことができる。なお、第２収容部２２ｂにおいては遮蔽部２３を適宜の形状のものに替えることができる他に、網状のシート材料に変更して収容部２２の全体を通気可能に覆うこともできる。また、遮蔽部２３を設けることなくこの発明を実施することも可能である。
【００１８】
図４は、この発明の実施形態の一例を示すマスク１０１の斜視図である。図４のマスク１０１は、図１のマスク１と同じ材料を使用してほぼ同じ形状に作られていて、被覆部１０２とヘッドバンド１０３とを有し、被覆部１０２は周縁部分１０６と中央部分１０７とを含み、その被覆部１０２にはクッションパッド１６と同形状のクッションパッド（図示せず）が取り付けられている。ただし、図４における容器部材１１０は、図１における容器部材１０とは異なる形状と構造とを有していて、外側部材５１と内側部材５２と吸気弁５３（図５参照）とを含み、外側部材５１には、中心線ＣＬの両側にマスク１０１の内側に通じる外側通気孔５１ａが形成されている。
【００１９】
図５，６，７は、図４のＶ−Ｖ線切断面を示す図と、図４のＶＩ−ＶＩ線切断面を示す図と、容器部材１１０の分解組立図とであって、Ｖ−Ｖ線は中心線ＣＬに一致し、ＶＩ−ＶＩ線は容器部材１１０の中心においてＶ−Ｖ線に直交している。これらの図における外側部材５１と内側部材５２とは、例えば熱可塑性合成樹脂を射出成形することによって得ることができるものであって、円形の周縁部５６，５７を有している。外側部材５１の周縁部５６には、後方の内側部材５２に向かって突出する組立用突起部５８が複数形成されている。内側部材５２の周縁部５７には、組立用透孔部５９が複数形成されている。外側部材５１と内側部材５２とは、突起部５８が透孔部５９へ進入するように前後方向Ｃにおいて重ね合せると、外側部材５１の中心部において後方に向かって延びるように形成されている軸部６２が内側部材５２の中心部において前方に向かって延びるように形成されている軸受部６３に嵌合して、両部材５１，５２の間に吸気弁５３を収容するハウジング６５を形成する。ハウジング６５においては、外側部材５１の突起部５８に形成されている爪５８ａが内側部材５２の透孔部５９の周縁部分に後方から当接しているので（図５参照）、外側部材５１と内側部材５２とは分離することがないが、両部材５１，５２の互いに接触する面どうしを接着剤等の接合手段によって接合して、両部材５１，５２を強固に一体化しておくこともできる。
【００２０】
容器部材１１０における吸気弁５３は、シリコンゴム等の柔軟弾性材料で形成された円盤状のもので、その大きさや厚さ、ゴムの硬度等の値は、マスク１０１における着用者の吸気動作によって速やかに開放状態となるように設計される。吸気弁５３はまた、中央に透孔５３ａを有していて、外側部材５１と内側部材５２とでハウジング６５を形成する前に、外側部材５１の軸部６２がその透孔５３ａに挿入される。そのように軸部６２が挿入された後の吸気弁５３は、その周縁部分５３ｂの全周が外側部材５１の後面側に形成されている弁座６６に密接可能な状態になる。弁座６６は、中心線ＣＬに関して対称に形成されていて、その全周が一平面上にあるように作ることができるものではあるが、図示例においてはマスク１０１の後方に向かって、換言すると着用者の顔面(図示せず)に向かって凹となる曲面（図示せず）の上に位置するように作られている。したがって、円盤状の吸気弁５３は、図６に示されているように、弁座６６に密接すると後方に向かって凹となるような曲面を形成する。このような吸気弁５３がハウジング６５におさまっているときの状態は、図５，６に示されている。また、図６において仮想線で示されている吸気弁５３は、後記するように、マスク着用者の吸気動作によって吸気弁５３が開いて外気が吸気となってマスク１０１の内側へ進入するときの状態にある。吸気弁５３のうちで中心線ＣＬ上にある部位(図５参照)は、吸気動作があっても弁座６６から殆ど離れることのない部位である。すなわち、吸気弁５３は、吸気動作に伴ってそれが開くときに、必ず収容部１２２の側方において開くという特性を有している。
【００２１】
容器部材１１０における内側部材５２は、ほぼ環状に並ぶ複数の内側通気孔５２ａと、これらの内側通気孔５２ａに囲まれた収容部１２２とを有し、収容部１２２には中心線ＣＬに関してほぼ対称に作られた凹曲面１２２ａが含まれている。かような収容部１２２は、吸気弁５３と顔面（図示せず）との間に位置していて、マスク着用者の顔面に向かって開放した状態にあり、そこにはジェル状の抗炎症剤を入れることができる。図示例の収容部１２２は、上下方向Ａに長い楕円形ないし長円形に作られていて、その形状は図２，３に示された円形の収容部２２の形状と異なっているが、この発明において、収容部２２に設けられていた遮蔽部２３と同等の作用を有する遮蔽板や網目状のシート材料で形成された通気性の蓋を収容部１２２に設けることも可能である。
【００２２】
マスク１０１は、収容部１２２に例えばジェル状の抗炎症剤を入れて着用すると、図１のマスク１の場合と同様にマスク１０１と顔面との間に形成される空隙１２１（図５参照）に向かって清涼剤が蒸散する。マスク着用者が吸気動作を始めてマスク１０１の内部が負圧になると、吸気となる外気は中央部分１０７を通ってマスク１０１へ進入しようとするが、それと同時に吸気弁５３が開放状態となり（図６参照）、多量の外気が前方通気孔５１ａと後方通気孔５２ａとを通ってマスク１０１へ進入し、さらには蒸散した抗炎症剤とともにマスク着用者の鼻孔と口腔とに進入する。マスク１０１へ進入するときの外気は、収容部１２２のごく近傍を流れることになるので、収容部１２２に入れた抗炎症剤の蒸散を促進したり、蒸散して収容部１２２の近傍に滞留している抗炎症剤を鼻孔や口部に向かって速やかに運んだりするという効果をあげることができる。次いで、着用者が呼気動作を始めると、その時の呼気によって吸気弁５３が閉じ、呼気は内面１０２ａと外面１０２ｂとを有する被覆部１０２における中央部分１０７を通ってマスク１０１の外へ出る。中央部分１０７は、図１のマスク１と同様に、所要のろ過性能を有していてフィルタとして機能する不織布、織布およびこれらの積層体のいずれかを含むことによって、内面２ａと外面２ｂとを通過するときの呼気に含まれる飛沫や細菌、ウイルス等を捕捉することができる。カップ状に形成されている中央部分１０７は、全周において通気性であってかつそのようなフィルタとしての機能を有していることが好ましいが、全周のうちの一部分においてのみが通気性であって、その他の部分においては非通気性であるように形成することもできる。
【００２３】
このような図４のマスク１０１は、マスク１０１の着用者が室内の空気を吸気とすることには衛生上の問題がなくても、呼気をそのままの状態で室内に排出することが好ましくないという場合に着用するのに好適なものである。例えば、インフルエンザに感染して咽喉等を痛めている患者がこのマスク１０１を着用したときには、外気である室内の空気を吸い込むときに吸気弁５３が開くので、通気抵抗を殆ど感じることなく、つまり息苦しさを殆ど感じることなく空気を吸い込むことができると同時に蒸散している抗炎症剤や清涼剤、水分等を鼻孔と口部とから吸い込むことができる。また、その患者の呼気は、被覆部１０２に含まれているフィルタによってろ過した後に室内へ排出するので、室内の空気をその呼気によって汚すということがない。
【００２４】
図示例のマスク１とマスク１０１とは、クッションパッドを有するものとして説明されているが、この発明は、クッションパッドのないマスクにおいて実施することも可能である。例えば図１のマスク１は、クッションパッド１６を省く一方、被覆部２の周縁部分６を顔面に密接するように形成しておくことによって、クッションパッド１６のないマスクではあっても、この発明に係る効果を奏することができるものになる。また、マスク１とマスク１０１とはカップ形状の被覆部２，１０２を有するものであったが、この発明は、カップ形状とは異なる形状の被覆部を有するマスクにおいて実施することも可能である。
【符号の説明】
【００２５】
１    マスク
２    被覆部
２ａ    後面
２ｂ    前面
６    周縁部分
７    中央部分
７ａ    底
７ｂ    周壁
２１    空隙
２２    収容部
５３    吸気弁
６６    弁座
１０１    マスク
１０２    被覆部
１０２ａ    後面
１０２ｂ    前面
１０６    周縁部分
１０７    中央部分
１０７ａ    底
１０７ｂ    周壁
１２１    空隙
１２２    収容部
【図１】
2011125408.tif 000003
【図２】
2011125408.tif 000004
【図３】
2011125408.tif 000005
【図４】
2011125408.tif 000006
【図５】
2011125408.tif 000007
【図６】
2011125408.tif 000008
【図７】
2011125408.tif 000009